(57)【要約】【課題】光学部品用筐体の設計の自由度を向上できる光源装置を提供する。【解決手段】光源装置４１を構成するランプハウジング４１４は、筒形状外側面における光束射出前方側に形成され、筒形状外側面から突出するとともに互いに対向してＹ軸に略平行に延出し、光学部品用筐体に形成された一対の溝部に遊嵌状態で挿入され光学部品用筐体に対して光源装置４１をＹ軸に沿って設置位置に移動させる一対の突条部４１４１Ｇと、一対の突条部４１４１Ｇのうち一方の突条部４１４１Ｇ１の挿入方向基端部分に突条部４１４１Ｇ１から膨出するように一体的に形成され、光源装置４１が設置位置に移動した際に光学部品用筐体における溝部に一体的に形成された第１の凹部に嵌合する振れ防止用突起部４１４１Ｈとを備える。【選択図】図５
2008176199.tif 000002
【特許請求の範囲】
【請求項１】
光源装置と、複数の光学部品を内部に収納配置する光学部品用筐体とを備え、前記光源装置から射出された光束を画像情報に応じて変調して拡大投射するプロジェクタに用いられる光源装置であって、
光源ランプ、および前記光源ランプから放射された光束を一定方向に揃えて射出するリフレクタを有する光源装置本体と、
筒形状部を有し、前記筒形状部の一端側が前記リフレクタの光射出側端部に接続し、前記光源装置本体を支持して前記光学部品用筐体に接続可能とするランプハウジングとを備え、
前記光源装置本体から射出される光束の光軸に沿う軸を第１の軸とし、前記第１の軸に直交する２軸をそれぞれ第２の軸および第３の軸とした場合に、
前記ランプハウジングは、
前記筒形状部の外側面における光束射出側に形成され、前記外側面から突出するとともに互いに対向して前記第２の軸に略平行に延出し、前記光学部品用筐体に形成された一対の溝部に遊嵌状態で挿入され、前記光学部品用筐体に対して前記光源装置を前記第２の軸に沿って設置位置に移動させる一対の突条部と、
前記一対の突条部のうち少なくともいずれか一方の突条部の前記挿入方向基端部分に、前記突条部から膨出するように一体的に形成され、前記光源装置が前記設置位置に移動した際に前記光学部品用筐体における前記溝部に一体的に形成された第１の凹部に嵌合する第１の突起部とを備えている
ことを特徴とする光源装置。
【請求項２】
請求項１に記載の光源装置において、
前記第１の突起部は、前記一対の突条部のうちいずれか一方の突条部に一体的に形成され、
前記ランプハウジングは、
前記外側面における前記一対の突条部のうちいずれか他方の突条部の前記挿入方向基端部分近傍に形成され、前記第２の軸に略平行して前記挿入方向に突出し、前記光源装置が前記設置位置に移動した際に前記光学部品用筐体における前記溝部近傍に形成された第２の凹部に嵌合する第２の突起部を備え、
前記第２の突起部は、前記第２の凹部に嵌合することで、前記光学部品用筐体に対する前記光源装置の前記第１の軸上の位置および前記第３の軸上の位置を規定するとともに、前記第２の凹部内を摺動し前記光学部品用筐体に対して前記第２の軸を中心として前記光源装置を回動可能とし、
前記第１の突起部は、前記第１の凹部に嵌合することで、前記光学部品用筐体に対する前記光源装置の前記第２の軸を中心とした回動位置を規定する
ことを特徴とする光源装置。
【請求項３】
請求項１または請求項２に記載の光源装置において、
前記ランプハウジングは、
前記外側面における前記挿入方向先端側に形成され、前記外側面から前記第２の軸に略平行して前記挿入方向に突出し、前記光源装置が前記設置位置に移動した際に前記光学部品用筐体に形成された第３の凹部に嵌合する第３の突起部を備え、
前記第３の突起部は、前記第３の凹部に嵌合することで、前記光学部品用筐体に対する前記光源装置の前記第３の軸を中心とした回動位置を規定する
ことを特徴とする光源装置。
【請求項４】
光源装置と、複数の光学部品を内部に収納配置する光学部品用筐体とを備え、前記光源装置から射出された光束を画像情報に応じて変調して拡大投射するプロジェクタであって、
前記光源装置は、請求項１から請求項３のいずれかに記載の光源装置で構成され、
前記光学部品用筐体には、前記光源装置から射出された光束を内部に導入する端部に前記光源装置を支持固定するための光源装置支持部が形成され、
前記光源装置支持部は、
前記光源装置における前記一対の突条部に対応し、互いに対向して前記第２の軸に略平行に延出し、前記一対の突条部を遊嵌状態で挿入可能とし前記光学部品用筐体に対して前記光源装置を前記第２の軸に沿って設置位置に移動させる一対の溝部と、
前記光源装置における前記第１の突起部に対応し、前記一対の溝部のうち少なくともいずれか一方の溝部の挿入方向先端部分に一体的に形成され、前記光源装置が前記設置位置に移動した際に前記第１の突起部が嵌合する第１の凹部とを備えている
ことを特徴とするプロジェクタ。
【発明の詳細な説明】
【技術分野】
【０００１】
本発明は、光源装置、およびプロジェクタに関する。
【背景技術】
【０００２】
従来、光源装置から射出された光束を画像情報に応じて変調してスクリーン等に拡大投射するプロジェクタが知られている。
このようなプロジェクタにおいて、光源ランプが破裂した際にその破片を外部に飛散させることなく、さらには、光源ランプを効率的に冷却できる光源装置が提案されている（例えば、特許文献１参照）。
特許文献１に記載の光源装置は、リフレクタの光射出前方側に、吸気口および排気口が形成されたリング状の保持部材と、保持部材に対して回動可能に設けられ、回動とともに吸気口および排気口を同時に開閉するリング状のシャッタ部材とが設けられている。
【０００３】
【特許文献１】特開２００３−２１５７０６号公報
【発明の開示】
【発明が解決しようとする課題】
【０００４】
しかしながら、特許文献１に記載の光源装置では、リフレクタの光射出前方側に保持部材およびシャッタ部材等の機構が設けられているため、プロジェクタ内部（光学部品用筐体（ライトガイド））に固定するための固定構造を前記機構よりも光射出後方側に設ける必要がある。このため、特許文献１では、光源装置の上記固定構造に対応させて、光学部品用筐体に容器状の収納部を設け、該収納部に光源装置を収納して固定する構造としている。このような構造では、光源装置から射出された光束のうち、照明光軸を外れた光束（紫外線を含む光束）は、前記収納部の内壁面に照射されることとなる。このため、光束の照射により、収納部（光学部品用筐体）の劣化を引き起こす恐れがある。
ここで、光学部品用筐体の劣化を防止するために、光学部品用筐体を耐熱性の高い材料にて構成することが考えられるが、光学部品用筐体の設計の自由度が低減してしまう。
【０００５】
本発明の目的は、光学部品用筐体の設計の自由度を向上できる光源装置、およびプロジェクタを提供することにある。
【課題を解決するための手段】
【０００６】
本発明の光源装置は、光源装置と、複数の光学部品を内部に収納配置する光学部品用筐体とを備え、前記光源装置から射出された光束を画像情報に応じて変調して拡大投射するプロジェクタに用いられる光源装置であって、光源ランプ、および前記光源ランプから放射された光束を一定方向に揃えて射出するリフレクタを有する光源装置本体と、筒形状部を有し、前記筒形状部の一端側が前記リフレクタの光射出側端部に接続し、前記光源装置本体を支持して前記光学部品用筐体に接続可能とするランプハウジングとを備え、前記光源装置本体から射出される光束の光軸に沿う軸を第１の軸とし、前記第１の軸に直交する２軸をそれぞれ第２の軸および第３の軸とした場合に、前記ランプハウジングは、前記筒形状部の外側面における光束射出側に形成され、前記外側面から突出するとともに互いに対向して前記第２の軸に略平行に延出し、前記光学部品用筐体に形成された一対の溝部に遊嵌状態で挿入され、前記光学部品用筐体に対して前記光源装置を前記第２の軸に沿って設置位置に移動させる一対の突条部と、前記一対の突条部のうち少なくともいずれか一方の突条部の前記挿入方向基端部分に、前記突条部から膨出するように一体的に形成され、前記光源装置が前記設置位置に移動した際に前記光学部品用筐体における前記溝部に一体的に形成された第１の凹部に嵌合する第１の突起部とを備えていることを特徴とする。
【０００７】
本発明では、光源装置を構成するランプハウジングは、筒形状部の一端側がリフレクタの光射出側端部に接続し、筒形状部の外側面の光射出前方側において、光学部品用筐体に接続可能とする一対の突条部および第１の突起部を有している。すなわち、光源装置において、光学部品用筐体に接続可能とする構造が光射出前方側に設けられている。このことにより、光学部品用筐体においては、光源装置から射出される光束を内部に導入する端部に一対の突条部や第１の突起部に対応した一対の溝部や第１の凹部を設けておけばよく、従来のように光源装置の光射出後方側にまで延出した収納部を設ける必要がない。したがって、光源装置から射出された光束のうち、照明光軸を外れた光束（紫外線を含む光束）が光学部品用筐体に照射されることを抑制し、光学部品用筐体を種々の材料にて構成でき、光学部品用筐体の設計の自由度を向上できる。また、従来の構成と比較して、光学部品用筐体に収納部を設ける必要がないため、光学部品用筐体の小型化が図れる。
【０００８】
また、光源装置の一対の突条部を光学部品用筐体の一対の溝部に挿入することで、一対の突条部および一対の溝部により、光学部品用筐体に対する所定の設置位置までの光源装置の移動が案内されるので、光学部品用筐体に対する光源装置の設置を容易とする構造を実現できる。
【０００９】
ところで、光源ランプが破裂した際にその破片を外部に飛散させることなく、光源ランプを効率的に冷却するためには、ランプハウジングの筒状他端側の開口部分を透光性部材にて閉塞しつつ、光源装置本体、ランプハウジング、および前記透光性部材にて囲まれる空間内外に空気を流通させて前記空間内の光源ランプに空気を送風する必要がある。
ここで、プロジェクタ内部において、光源装置周辺に配設される部材（電源ユニット等）と、空気を送風するための冷却ファンとの配置位置を考慮した場合、光源装置の光射出前方側から前記空間に空気を導入することが好ましい。すなわち、ランプハウジングに前記空間内外に空気を流通可能とする開口部を設けるとともに、前記開口部周縁部分から光射出前方側に向けて屈曲して延出し導入口を有する導入ダクトを一体的に形成する。
【００１０】
以上のような構成において、例えば、突条部に第１の突起部が一体的に形成されておらず、突条部に対して第１の突起部が離間した状態で形成され、かつ、第１の突起部の形成位置と前記導入ダクトの形成位置とがランプハウジングにおける同一の外側面側に位置している場合には、ランプハウジングの製造時（成形時）に以下の問題が生じる。
第１の突起部が第２の軸に沿う方向に突出し、前記導入ダクトが第１の軸に沿う方向に延出しているため、ランプハウジングを成形して第１の突起部および前記導入ダクトをそれぞれ形成する場合には、第１の突起部を形成する金型と、前記導入ダクトを形成する金型とが成形時（例えば、金型の移動時等）に機械的に干渉しないように構成する必要がある。すなわち、このような金型上の制約により、前記導入ダクトの導入口を小さくするか、あるいは、前記導入ダクトを大きくして前記導入口のサイズを変更しないように構成する必要がある。前記導入ダクトの導入口を小さくした場合には、前記空間内に導入させる風量が低減し、光源ランプを効果的に冷却することが難しい。また、前記導入ダクトを大きくして前記導入口のサイズを変更しないように構成した場合には、光源ランプの効果的な冷却を可能とするが、光源装置自体が大型化してしまう。
【００１１】
本発明では、突条部に第１の突起部が一体的に形成されている。このことにより、例えば、第１の突起部の形成位置と前記導入ダクトの形成位置とがランプハウジングにおける同一の外側面側に位置するように構成した場合であっても、ランプハウジングの製造時（成形時）において、上述したような金型上の制約がなくなり、前記導入ダクトを大きくすることなく、前記導入ダクトの前記導入口を十分に大きく形成できる。このため、光源装置自体の小型化を図りつつ、光源ランプを効果的に冷却できる。
【００１２】
本発明の光源装置では、前記第１の突起部は、前記一対の突条部のうちいずれか一方の突条部に一体的に形成され、前記ランプハウジングは、前記外側面における前記一対の突条部のうちいずれか他方の突条部の前記挿入方向基端部分近傍に形成され、前記第２の軸に略平行して前記挿入方向に突出し、前記光源装置が前記設置位置に移動した際に前記光学部品用筐体における前記溝部近傍に形成された第２の凹部に嵌合する第２の突起部を備え、前記第２の突起部は、前記第２の凹部に嵌合することで、前記光学部品用筐体に対する前記光源装置の前記第１の軸上の位置および前記第３の軸上の位置を規定するとともに、前記第２の凹部内を摺動し前記光学部品用筐体に対して前記第２の軸を中心として前記光源装置を回動可能とし、前記第１の突起部は、前記第１の凹部に嵌合することで、前記光学部品用筐体に対する前記光源装置の前記第２の軸を中心とした回動位置を規定することが好ましい。
【００１３】
本発明では、ランプハウジングは、第１の突起部が一体的に形成される一方の突条部とは異なる他方の突条部の挿入方向基端部分近傍に、第２の突起部を有する。そして、第２の突起部は、光源装置が設置位置に移動した際に、光学部品用筐体の第２の凹部に嵌合し、光学部品用筐体に対する光源装置の第１の軸上の位置および第３の軸上の位置を規定する。このことにより、一対の突条部および一対の溝部により光学部品用筐体に対する光源装置の設置を容易とするとともに、光源装置を設置位置に移動させ、第２の凹部に第２の突起部を嵌合するだけで、光学部品用筐体に対する光源装置の第１の軸上の位置および第３の軸上の位置を容易に位置決めできる。
また、第２の突起部は、第２の凹部内を摺動し、光学部品用筐体に対して第２の軸を中心として光源装置を回動可能とする。そして、第１の突起部は、第１の凹部に嵌合することで、光学部品用筐体に対する光源装置の第２の軸を中心とした回動位置を規定する。このことにより、光源装置を設置位置に移動させ、第２の凹部に第２の突起部を嵌合させただけでは、第２の軸を中心とした回動方向の光源装置の振れによる位置ずれが生じやすいところ、第１の凹部に第１の突起部を嵌合させることで、光源装置の振れを防止でき、光学部品用筐体に対する光源装置の位置決めをさらに良好なものとすることができる。
【００１４】
本発明の光源装置では、前記ランプハウジングは、前記外側面における前記挿入方向先端側に形成され、前記外側面から前記第２の軸に略平行して前記挿入方向に突出し、前記光源装置が前記設置位置に移動した際に前記光学部品用筐体に形成された第３の凹部に嵌合する第３の突起部を備え、前記第３の突起部は、前記第３の凹部に嵌合することで、前記光学部品用筐体に対する前記光源装置の前記第３の軸を中心とした回動位置を規定することが好ましい。
【００１５】
本発明では、ランプハウジングは、第１の突起部や第２の突起部が形成される外側面における挿入方向基端側とは逆側である挿入方向先端側に、第３の突起部を有する。そして、第３の突起部は、光源装置が設置位置に移動した際に、光学部品用筐体の第３の凹部に嵌合し、光学部品用筐体に対する光源装置の第３の軸を中心とした回動位置を規定する。このことにより、光源装置を設置位置に移動させ、第１の凹部や第２の凹部に第１の突起部や第２の突起部を嵌合させただけでは、第３の軸を中心とした回動方向の光源装置の倒れによる位置ずれが生じやすいところ、第３の凹部に第３の突起部を嵌合させることで、光源装置の倒れを防止でき、光学部品用筐体に対する光源装置の位置決めをさらに一層良好なものとすることができる。
【００１６】
本発明のプロジェクタは、光源装置と、複数の光学部品を内部に収納配置する光学部品用筐体とを備え、前記光源装置から射出された光束を画像情報に応じて変調して拡大投射するプロジェクタであって、前記光源装置は、上述した光源装置で構成され、前記光学部品用筐体には、前記光源装置から射出された光束を内部に導入する端部に前記光源装置を支持固定するための光源装置支持部が形成され、前記光源装置支持部は、前記光源装置における前記一対の突条部に対応し、互いに対向して前記第２の軸に略平行に延出し、前記一対の突条部を遊嵌状態で挿入可能とし前記光学部品用筐体に対して前記光源装置を前記第２の軸に沿って設置位置に移動させる一対の溝部と、前記光源装置における前記第１の突起部に対応し、前記一対の溝部のうち少なくともいずれか一方の溝部の挿入方向先端部分に一体的に形成され、前記光源装置が前記設置位置に移動した際に前記第１の突起部が嵌合する第１の凹部とを備えていることを特徴とする。
本発明のプロジェクタは、上述した光源装置と、光源装置が接続される光学部品用筐体とを備えているので、上述した光源装置と同様の作用および効果を享受できる。
【発明を実施するための最良の形態】
【００１７】
以下、本発明の実施の一形態を図面に基づいて説明する。
〔プロジェクタの概略構成〕
図１は、プロジェクタ１の概略構成を模式的に示す図である。
プロジェクタ１は、光源から射出される光束を画像情報に応じて変調してカラー画像（光学像）を形成し、このカラー画像をスクリーン（図示略）上に拡大投射するものである。このプロジェクタ１は、図１に示すように、略直方体状の外装筐体２と、投射光学装置としての投射レンズ３と、光学ユニット４等を備える。
なお、図１において、具体的な図示は省略したが、外装筐体２内において、投射レンズ３、および光学ユニット４以外の空間には、プロジェクタ１内部の各構成部材に電力を供給する電源ユニット、プロジェクタ１内部の各構成部材を冷却する冷却ファン等を備えた冷却ユニット、およびプロジェクタ１内部の各構成部材を制御する制御装置等が配置されるものとする。
【００１８】
外装筐体２は、射出成型等による合成樹脂製品であり、プロジェクタ１の天面、前面、背面、および側面をそれぞれ構成するアッパーケース、およびプロジェクタ１の底面、前面、背面、および側面をそれぞれ構成するロアーケース等で構成される。そして、各ケースは、互いにねじ等で固定されている。
なお、外装筐体２は、合成樹脂製に限らず、その他の材料にて形成してもよく、例えば、金属等により構成してもよい。
投射レンズ３は、複数のレンズを組み合わせた組レンズとして構成され、光学ユニット４にて形成されたカラー画像をスクリーン（図示略）上に拡大投射する。
【００１９】
図２および図３は、光学ユニット４の構成を示す図である。具体的に、図２は、投射レンズ３および光学ユニット４が接続した状態を後方側から見た斜視図である。図３は、図２において、光源装置４１を分解した分解斜視図である。なお、図２および図３では、説明の便宜上、投射レンズ３からの光束の投射方向をＺ軸とし、該Ｚ軸に直交する２軸をそれぞれＸ軸（水平軸）およびＹ軸（垂直軸）とする。以下の図も同様のものとする。
光学ユニット４は、図１ないし図３に示すように、外装筐体２の背面に沿って延出するとともに、外装筐体２の側面に沿って延出する平面視略Ｌ字形状を有し、前記制御装置による制御の下、光源から射出された光束を光学的に処理して画像情報に対応したカラー画像を形成するユニットである。この光学ユニット４は、図１ないし図３に示すように、光源装置４１と、均一照明光学装置４２と、色分離光学装置４３と、リレー光学装置４４と、光学装置４５と、光学部品用筐体４６とを備える。
【００２０】
光源装置４１は、前記制御装置による制御の下、点灯し、均一照明光学装置４２に向けて光束を射出する。この光源装置４１は、具体的には後述するが、図１ないし図３に示すように、光源ランプ４１１（図１）およびリフレクタ４１２（図１）を有する光源装置本体４１Ａと、平行化レンズ４１３（図１、図３）と、これら各部材４１１〜４１３を内部に収納するランプハウジング４１４とを備える。これら各部材４１１〜４１３は、図２または図３に示すように、ランプハウジング４１４が光学部品用筐体４６に接続することにより、光学部品用筐体４６に対する所定位置（光源装置４１から射出される光束の中心軸と光学部品用筐体４６内に設定された照明光軸Ａ（図１）とが一致する位置）に位置決めされる。そして、光源ランプ４１１から射出された放射状の光束は、リフレクタ４１２にて反射され、平行化レンズ４１３を介して平行光とされる。
なお、図１では、リフレクタ４１２を、楕円面リフレクタとして構成していたが、これに限らず、光源ランプ４１１から射出された光束を略平行光として反射するパラボラリフレクタとして構成しても構わない。この場合には、平行化レンズ４１３を省略する。
【００２１】
均一照明光学装置４２は、光源装置４１から射出された光束を、光学装置４５を構成する後述する液晶パネルの画像形成領域に略均一に照明するための光学系である。この均一照明光学装置４２は、図１に示すように、第１レンズアレイ４２１と、第２レンズアレイ４２２と、偏光変換素子４２３と、重畳レンズ４２４とを備える。
第１レンズアレイ４２１は、入射光軸方向から見て略矩形状の輪郭を有する第１小レンズが、入射光軸に対し略直交する面内においてマトリクス状に配列された構成を有している。各第１小レンズは、光源装置４１から射出される光束を複数の部分光束に分割している。
第２レンズアレイ４２２は、第１レンズアレイ４２１と略同様な構成を有しており、第２小レンズがマトリクス状に配列された構成を有している。この第２レンズアレイ４２２は、重畳レンズ４２４とともに、第１レンズアレイ４２１の各第１小レンズの像を光学装置４５の後述する液晶パネル上に結像させる機能を有している。
【００２２】
偏光変換素子４２３は、第２レンズアレイ４２２と重畳レンズ４２４との間に配置され、第２レンズアレイ４２２からの光を略１種類の偏光光に変換するものである。
具体的に、偏光変換素子４２３によって略１種類の偏光光に変換された各部分光は、重畳レンズ４２４によって最終的に光学装置４５の後述する液晶パネル上にほぼ重畳される。偏光光を変調するタイプの液晶パネルを用いたプロジェクタでは、１種類の偏光光しか利用できないため、ランダムな偏光光を発する光源装置４１からの光の略半分を利用できない。このため、偏光変換素子４２３を用いることで、光源装置４１からの射出光を略１種類の偏光光に変換し、光学装置４５での光の利用効率を高めている。
【００２３】
色分離光学装置４３は、図１に示すように、２枚のダイクロイックミラー４３１，４３２と、反射ミラー４３３とを備え、ダイクロイックミラー４３１，４３２により均一照明光学装置４２から射出された複数の部分光束を、赤、緑、青の３色の色光に分離する機能を有している。
リレー光学装置４４は、図１に示すように、入射側レンズ４４１、リレーレンズ４４３、および反射ミラー４４２，４４４を備え、色分離光学装置４３で分離された赤色光を光学装置４５の後述する赤色光用の液晶パネルまで導く機能を有している。
【００２４】
この際、色分離光学装置４３のダイクロイックミラー４３１では、均一照明光学装置４２から射出された光束の青色光成分が反射するとともに、赤色光成分と緑色光成分とが透過する。ダイクロイックミラー４３１によって反射した青色光は、反射ミラー４３３で反射し、フィールドレンズ４２５を通って光学装置４５の後述する青色光用の液晶パネルに達する。
このフィールドレンズ４２５は、第２レンズアレイ４２２から射出された各部分光束をその中心軸（主光線）に対して平行な光束に変換する。他の緑色光用、赤色光用の液晶パネルの光束入射側に設けられたフィールドレンズ４２５も同様である。
【００２５】
ダイクロイックミラー４３１を透過した赤色光と緑色光のうちで、緑色光はダイクロイックミラー４３２によって反射し、フィールドレンズ４２５を通って光学装置４５の後述する緑色光用の液晶パネルに達する。一方、赤色光はダイクロイックミラー４３２を透過してリレー光学装置４４を通り、さらにフィールドレンズ４２５を通って光学装置４５の後述する赤色光用の液晶パネルに達する。
なお、赤色光にリレー光学装置４４が用いられているのは、赤色光の光路の長さが他の色光の光路の長さよりも長いため、光の発散等による光の利用効率の低下を防止するためである。すなわち、入射側レンズ４４１に入射した部分光束をそのまま、フィールドレンズ４２５に伝えるためである。
【００２６】
光学装置４５は、入射した光束を画像情報に応じて変調して画像光（カラー画像）を形成するものである。この光学装置４５は、図１に示すように、光変調装置としての３枚の液晶パネル４５１（赤色光用の液晶パネルを４５１Ｒ、緑色光用の液晶パネルを４５１Ｇ、青色光用の液晶パネルを４５１Ｂとする）と、各液晶パネル４５１の光束入射側および光束射出側にそれぞれ配置される入射側偏光板４５２および射出側偏光板４５３と、色合成光学装置としてのクロスダイクロイックプリズム４５４とを備える。
【００２７】
入射側偏光板４５２は、色分離光学装置４３で分離された各色光のうち、偏光変換素子４２３で揃えられた偏光方向と略同一方向の偏光方向を有する偏光光のみ透過させ、その他の光束を吸収するものであり、具体的な図示は省略するが、透光性基板上に偏光膜が貼付されて構成されている。
液晶パネル４５１は、具体的な図示は省略するが、一対の透明なガラス基板に電気光学物質である液晶が密閉封入された構成を有し、前記制御装置からの駆動信号に応じて、前記液晶の配向状態が制御され、入射側偏光板４５２から射出された偏光光束の偏光方向を変調する。
【００２８】
射出側偏光板４５３は、入射側偏光板４５２と同様の構成を有し、液晶パネル４５１から射出された光束のうち、入射側偏光板４５２における光束の透過軸と直交する偏光方向を有する光束のみ透過させ、その他の光束を吸収するものである。
クロスダイクロイックプリズム４５４は、射出側偏光板４５３から射出された色光毎に変調された変調光を合成して画像光（カラー画像）を形成する光学素子である。このクロスダイクロイックプリズム４５４は、４つの直角プリズムを貼り合わせた平面視正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、各液晶パネル４５１Ｒ，４５１Ｂから射出され各射出側偏光板４５３を介した各色光を反射する。このようにして、各色光が合成されてカラー画像が形成される。そして、クロスダイクロイックプリズム４５４で形成されたカラー画像は、上述した投射レンズ３によりスクリーン等へ拡大投射される。
【００２９】
光学部品用筐体４６は、図２または図３に示すように、平面視略Ｌ字形状を有し、内部に所定の照明光軸Ａ（図１）が設定され、上述した各光学部品４１〜４５を照明光軸Ａに対する所定位置に配置する。この光学部品用筐体４６は、図２または図３に示すように、部品収納部材４６１と、図示しない蓋状部材とを備える。
部品収納部材４６１は、図２または図３に示すように、＋Ｙ軸方向側（上方側）に開口部４６１Ａを有する容器状に形成され、開口部４６１Ａを介して、光源装置４１（ランプハウジング４１４）と接続する一端側から順に各光学部品４２，４３が収納配置され、前記一端側と反対側の他端側に光学装置４５が収納配置される。
この部品収納部材４６１において、光源装置４１（ランプハウジング４１４）と接続する一端側には、図２または図３に示すように、光源装置４１を支持するための光源装置支持部４６２が形成されている。
なお、光源装置支持部４６２の詳細な構成については、光源装置４１の詳細な構成を説明する際に、同時に説明する。
前記蓋状部材は、具体的な図示を省略したが、部品収納部材４６１の＋Ｙ軸方向側の開口部４６１Ａを閉塞する部材であり、部品収納部材４６１の平面形状と略同一の平面形状を有する。
【００３０】
〔光源装置の詳細な構成〕
図４および図５は、光源装置４１の構成を示す図である。具体的に、図４は、光源装置４１を＋Ｙ軸方向側（上方側）から見た斜視図である。図５は、光源装置４１を−Ｙ軸方向側（下方側）から見た斜視図である。
光源装置４１を構成するランプハウジング４１４は、射出成型等により形成された成形品であり、光源装置本体４１Ａおよび平行化レンズ４１３を支持し、これら各部材４１Ａ，４１３を一体化する。このランプハウジング４１４は、図４または図５に示すように、筒形状部としてのハウジング本体４１４１と、延出部４１４２と、一対の固定部４１４３とで構成される。
【００３１】
ハウジング本体４１４１は、光源装置本体４１Ａおよび平行化レンズ４１３を支持する部分であり、Ｘ軸方向に延出する平面視矩形枠状（筒状）に形成されている。
より具体的に、ハウジング本体４１４１は、図４または図５に示すように、−Ｘ軸方向側に位置する第１筒状部４１４１Ａと、＋Ｘ軸方向側に位置し第１筒状部４１４１Ａよりも径寸法の小さい第２筒状部４１４１Ｂとが段差部４１４１Ｃを介して一体的に形成された筒形状のものであり、段差部４１４１Ｃにリフレクタ４１２の＋Ｘ軸方向端部（光射出前方側端部）が当接する。そして、図４または図５に示すように、ばね部材４１４１Ｄにてリフレクタ４１２の＋Ｘ軸方向端部を段差部４１４１Ｃに向けて付勢することで、リフレクタ４１２（光源装置本体４１Ａ）がハウジング本体４１４１に支持固定され、ハウジング本体４１４１の−Ｘ軸方向側の枠状開口部分が光源装置本体４１Ａ（光源ランプ４１１およびリフレクタ４１２）により閉塞される。
【００３２】
このハウジング本体４１４１において、＋Ｘ軸方向側の枠状開口部分には、図４または図５に示すように、内側に突出し、平行化レンズ４１３を支持固定する平行化レンズ支持部４１４１Ｅが形成されている。そして、図４または図５に示すように、板ばね４１４１Ｆにて平行化レンズ４１３を平行化レンズ支持部４１４１Ｅに向けて付勢することで、平行化レンズ４１３がハウジング本体４１４１に支持固定され、ハウジング本体４１４１の＋Ｘ軸方向側の枠状開口部分が平行化レンズ４１３により閉塞される。
以上のように、ハウジング本体４１４１に光源装置本体４１Ａおよび平行化レンズ４１３を支持固定した状態では、具体的な図示は省略したが、ハウジング本体４１４１、光源装置本体４１Ａ、および平行化レンズ４１３で囲まれた空間Ａｒ（図４）が形成される。
【００３３】
また、このハウジング本体４１４１において、＋Ｘ軸方向側（光射出前方側）には、図４または図５に示すように、Ｚ軸に交差する各側面の外周面から突出するとともに互いに対向してＹ軸（光源装置本体４１Ａから射出される光束の光軸（Ｘ軸：第１の軸）に直交する軸（第２の軸））に略平行に延出する一対の突条部４１４１Ｇが形成されている。これら一対の突条部４１４１Ｇは、図５に示すように、＋Ｙ軸方向側が一対の固定部４１４３に接続する。
【００３４】
さらに、このハウジング本体４１４１において、一対の突条部４１４１Ｇのうち、＋Ｚ軸方向側の突条部４１４１Ｇ１の＋Ｙ軸方向端部側には、図５に示すように、突条部４１４１Ｇ１、および一対の固定部４１４３のうち、＋Ｚ軸方向側の固定部４１４３Ａの双方に接続するように第１の突起部としての振れ防止用突起部４１４１Ｈが形成されている。この振れ防止用突起部４１４１Ｈは、図５に示すように、略円柱形状を有し、柱状軸がＹ軸方向に向くように突条部４１４１Ｇ１および固定部４１４３Ａに一体的に形成されている。また、この振れ防止用突起部４１４１Ｈは、図５に示すように、突条部４１４１Ｇ１の厚み寸法（Ｘ軸方向の厚み寸法）よりも大きい外径寸法を有し、振れ防止用突起部４１４１Ｈの一部が突条部４１４１Ｇ１の突出方向先端部分よりも−Ｚ軸方向側に平面的にずれた位置に位置付けられるように形成されている。
【００３５】
また、このハウジング本体４１４１において、Ｚ軸方向両端面には、図４または図５に示すように、空間Ａｒ内外に空気を流通するための開口部４１４１Ｉ（図４），４１４１Ｊ（図５）がそれぞれ形成されている。
そして、＋Ｚ軸方向端面に形成された開口部４１４１Ｊ周縁部分には、図５に示すように、＋Ｚ軸方向に膨出する導入ダクト４１４１Ｋが形成されている。
導入ダクト４１４１Ｋは、Ｙ軸方向から見て平面視略扇形状を有し、導入口４１４１Ｋ１が＋Ｘ軸方向に向くように形成されている。すなわち、導入口４１４１Ｋ１を介して導入ダクト４１４１Ｋ内部に導入された空気は、導入ダクト４１４１Ｋにより−Ｘ軸方向から−Ｚ軸方向へと略９０°曲折して流通し、開口部４１４１Ｊを介して空間Ａｒ内に導入される。そして、開口部４１４１Ｉは、空間Ａｒ内部の空気を外部に排出する排出口として機能する。
【００３６】
さらに、このハウジング本体４１４１において、導入ダクト４１４１Ｋの−Ｘ軸方向側には、図４または図５に示すように、光源ランプ４１１と電気的に接続し、光源ランプ４１１の一対の電極間に電圧を印加するためのコネクタ部４１４１Ｌが形成されている。このコネクタ部４１４１Ｌは、外装筐体２内部に設けられ前記電源ユニットに電気的に接続した図示しないコネクタ部と接続可能とする部分であり、光学部品用筐体４６に対する光源装置４１の設置方向（−Ｙ軸方向）に沿って突出するように設けられている。
【００３７】
また、このハウジング本体４１４１において、−Ｙ軸方向端面には、図５に示すように、−Ｙ軸方向に突出する第３の突起部としての倒れ防止用突起部４１４１Ｍが形成されている。この倒れ防止用突起部４１４１Ｍは、図５に示すように、略円柱形状を有し、柱状軸がＹ軸方向に向くように形成されている。また、この倒れ防止用突起部４１４１Ｍは、Ｙ軸方向から見た場合に、図５に示すように、一対の突条部４１４１Ｇや振れ防止用突起部４１４１Ｈに対して、−Ｘ軸方向側に位置するように形成されている。
【００３８】
延出部４１４２は、図４または図５に示すように、ハウジング本体４１４１の−Ｘ軸方向端部の＋Ｙ軸方向端部から−Ｘ軸方向に延出し、光源装置４１を組み立てた状態で、リフレクタ４１２（光源装置本体４１Ａ）の＋Ｙ軸方向側（プロジェクタ１を通常の状態で設置した際に、光源装置４１の自重が掛かる方向と逆方向側）を覆う板体から構成される。この延出部４１４２は、光源装置４１を組み立てた状態で、リフレクタ４１２の平面視での外形形状に対応して、図４または図５に示すように、−Ｘ軸方向側の一対の角部分が面取りされ、Ｙ軸方向から見て略半円形状を有している。
【００３９】
この延出部４１４２において、＋Ｙ軸方向端面の＋Ｘ軸方向側には、図４に示すように、＋Ｙ軸方向に突出し、プロジェクタ１の使用者が光源装置４１の交換時に把持可能とする取っ手４１４２Ａが形成されている。この取っ手４１４２Ａは、延出部４１４２における＋Ｙ軸方向端面において、Ｚ軸方向中央部分よりも＋Ｚ軸方向側にずれて形成されている。すなわち、取っ手４１４２Ａは、上述したコネクタ部４１４１Ｌに近接する位置に形成されている。このため、使用者は、取っ手４１４２Ａを把持して、光学部品用筐体４６に対して光源装置４１を＋Ｙ軸方向側から−Ｙ軸方向側に移動させて設置する際には、コネクタ部４１４１Ｌに力を加えやすい構造となり、光学部品用筐体４６に対する光源装置４１の設置時において、コネクタ部４１４１Ｌを前記電源ユニットに電気的に接続する図示しないコネクタ部に接続できる。また、光学部品用筐体４６に対して光源装置４１を取り外す場合にも同様に、コネクタ部４１４１Ｌに力を加えやすい構造であるため、光学部品用筐体４６に対する光源装置４１の取り外し時において、コネクタ部４１４１Ｌを図示しないコネクタ部から取り外すことができる。
【００４０】
一対の固定部４１４３は、図４または図５に示すように、ハウジング本体４１４１の＋Ｘ軸方向端部において、＋Ｙ軸方向端部のＸ軸方向両側からＸＺ平面に沿って＋Ｘ軸方向にそれぞれ延出する板体から構成される。
これら一対の固定部４１４３において、＋Ｘ軸方向先端側には、具体的な図示は省略したが、表裏を貫通した固定用孔（図示略）が形成されている。図４および図５では、前記各固定用孔に固定ねじ４１４４が挿通された状態が図示されている。
【００４１】
また、これら一対の固定部４１４３のうち、−Ｚ軸方向側の固定部４１４３Ｂには、図５に示すように、固定部４１４３Ｂの−Ｙ軸方向端面から−Ｙ軸方向に突出する第２の突起部としての位置決め用基準突起部４１４３Ｃが形成されている。この位置決め用基準突起部４１４３Ｃは、図５に示すように、略円柱形状を有し、柱状軸がＹ軸方向に向くように形成されている。
【００４２】
図６および図７は、光学部品用筐体４６の光源装置支持部４６２の構造を示す図である。具体的に、図６は、光源装置支持部４６２を＋Ｘ軸方向側から見た斜視図である。図７は、光源装置支持部４６２を−Ｘ軸方向側から見た斜視図である。
光源装置支持部４６２は、図６または図７に示すように、光学部品用筐体４６における平面視Ｌ字形状の一端側に設けられ、光源装置４１を支持する部分である。この光源装置支持部４６２は、図６または図７に示すように、一対の支持案内部４６２１と、接続部４６２２（図７）とを備える。
【００４３】
一対の支持案内部４６２１は、図６または図７に示すように、Ｚ軸方向に互いに対向し、Ｙ軸方向に延出する略四角柱状に形成されている。
これら一対の支持案内部４６２１において、互いに対向する端面には、図６または図７に示すように、光源装置４１の一対の突条部４１４１Ｇに対応して、支持案内部４６２１の＋Ｙ軸方向端部から−Ｙ軸方向端部にかけて延出する一対の溝部４６２３が形成されている。これら一対の溝部４６２３において、各溝部４６２３における各底部分の離間寸法（Ｚ軸方向の離間寸法）は、一対の突条部４１４１Ｇにおける各突出方向先端部の離間寸法（Ｚ軸方向の離間寸法）よりも若干大きくなるように設定されている。また、これら一対の溝部４６２３において、各溝部４６２３における溝の幅寸法（Ｘ軸方向の幅寸法）は、一対の突条部４１４１Ｇにおける厚み寸法（Ｘ軸方向の厚み寸法）よりも若干大きくなるように設定されている。
そして、一対の溝部４６２３は、＋Ｙ軸方向端部側から一対の突条部４１４１Ｇを遊嵌状態で挿入させ、一対の突条部４１４１Ｇとともに光学部品用筐体４６に対して光源装置４１をＹ軸に沿って設置位置（図２に示す状態の位置）に移動させる機能を有する。
【００４４】
また、これら一対の支持案内部４６２１のうち、＋Ｚ軸方向側の支持案内部４６２１Ａには、図６または図７に示すように、他方の支持案内部４６２１Ｂに対向する端面の＋Ｙ軸方向端部側に溝部４６２３に連通するように第１の凹部としての振れ防止用凹部４６２４が形成されている。この振れ防止用凹部４６２４は、図６または図７に示すように、溝部４６２３の溝の幅寸法（Ｘ軸方向の幅寸法）よりも大きい幅寸法を有し、溝部４６２３の底部分の深さ寸法（Ｚ軸方向の深さ寸法）よりも大きい深さ寸法を有するように形成されている。より具体的に、この振れ防止用凹部４６２４において、溝の幅寸法（Ｘ軸方向の幅寸法）は、振れ防止用突起部４１４１Ｈの外径寸法（Ｘ軸方向の寸法）と略同一となるように設定されている。
【００４５】
そして、振れ防止用凹部４６２４は、光源装置４１が設置位置（図２に示す状態の位置）に移動した際に、互いに対向する各内側面（Ｘ軸に交差する内側面）が振れ防止用突起部４１４１Ｈの外周面に当接した状態で振れ防止用突起部４１４１Ｈが嵌合し、振れ防止用突起部４１４１Ｈとともに光学部品用筐体４６に対する光源装置４１のＹ軸を中心とした回動位置を規定する機能を有する。なお、この状態においては、振れ防止用凹部４６２４における溝の底部分（Ｚ軸に交差する内側面）と振れ防止用突起部４１４１Ｈとの間には隙間が形成された状態である。すなわち、振れ防止用凹部４６２４は、−Ｘ軸方向側および＋Ｘ軸方向側から振れ防止用突起部４１４１Ｈを挟持し、光学部品用筐体４６に対して光源装置４１における＋Ｚ軸方向側がＸ軸方向にずれることを規制している。
【００４６】
また、これら一対の支持案内部４６２１において、＋Ｙ軸方向端部は、図６または図７に示すように、互いに離間する方向（Ｚ軸方向）に延出し、＋Ｙ軸方向端面がＸＺ平面に平行するように形成されている。そして、一対の支持案内部４６２１における各＋Ｙ軸方向端部は、光源装置４１における一対の固定部４１４３に当接し、−Ｙ軸方向側から光源装置４１を支持する載置部４６２５としてそれぞれ機能する。
これら載置部４６２５のうち、−Ｚ軸方向側の載置部４６２５には、図６または図７に示すように、光源装置４１の位置決め用基準突起部４１４３Ｃに対応し、＋Ｙ軸方向端面から−Ｙ軸方向に向けて窪む円筒状の位置決め用基準凹部４６２６が形成されている。この位置決め用基準凹部４６２６は、図６または図７に示すように、位置決め用基準突起部４１４３Ｃの外径寸法と略同一となる内径寸法を有するように設定されている。
そして、位置決め用基準凹部４６２６は、光源装置４１が設置位置（図２に示す状態の位置）に移動した際に、位置決め用基準突起部４１４３Ｃが嵌合し、位置決め用基準突起部４１４３Ｃとともに光学部品用筐体４６に対する光源装置４１のＸ軸上の位置、およびＺ軸（第３の軸）上の位置を規定する機能を有する。
【００４７】
また、これら載置部４６２５において、＋Ｘ軸方向側には、図６または図７に示すように、光源装置４１における一対の固定部４１４３に形成された図示しない固定用孔に対応し、固定ねじ４１４４を螺合可能とする固定用孔４６２７がそれぞれ形成されている。
【００４８】
接続部４６２２は、図７に示すように、一対の支持案内部４６２１における−Ｙ軸方向端部を連結する部分であり、ＸＺ平面に平行する板状に形成されている。
この接続部４６２２には、図７に示すように、光源装置４１における倒れ防止用突起部４１４１Ｍに対応し、Ｙ軸方向に沿って接続部４６２２の表裏を貫通した第３の凹部としての倒れ防止用孔４６２８が形成されている。この倒れ防止用孔４６２８は、図７に示すように、平面視矩形状に形成され、Ｘ軸方向に交差する各内側面の離間寸法（Ｘ軸方向の離間寸法）が倒れ防止用突起部４１４１Ｎの外径寸法と略同一に設定され、Ｚ軸方向に交差する各内側面の離間寸法（Ｚ軸方向の離間寸法）が倒れ防止用突起部４１４１Ｍの外径寸法よりも大きくなるように設定されている。
【００４９】
そして、倒れ防止用孔４６２８は、光源装置４１が設置位置（図２に示す状態の位置）に移動した際に、Ｘ軸方向に交差する各内側面が倒れ防止用突起部４１４１Ｍの外周面に当接した状態で倒れ防止用突起部４１４１Ｍが嵌合し、倒れ防止用突起部４１４１Ｍとともに光学部品用筐体４６に対する光源装置４１のＺ軸を中心とした回動位置を規定する機能を有する。換言すれば、倒れ防止用孔４６２８は、−Ｘ軸方向側および＋Ｘ軸方向側から倒れ防止用突起部４１４１Ｍを挟持し、光学部品用筐体４６に対して光源装置４１における−Ｙ軸方向側がＸ軸方向にずれることを規制している。
【００５０】
以上のような構成により、プロジェクタの使用者は、光源装置４１の交換時に光学部品用筐体４６に対して光源装置４１を以下に示すように設置することとなる。
先ず、使用者は、光源装置４１の取っ手４１４２Ａを把持した状態で、光学部品用筐体４６の＋Ｙ軸方向側から−Ｙ軸方向側に光源装置４１を移動させる。そして、使用者は、光学部品用筐体４６の一対の溝部４６２３に光源装置４１の一対の突条部４１４１Ｇを挿通し、一対の溝部４６２３および一対の突条部４１４１Ｇにより−Ｙ軸方向にスライド移動させる。
【００５１】
次に、使用者は、一対の溝部４６２３および一対の突条部４１４１Ｇのがたを利用して、光源装置４１の位置決め用基準突起部４１４３Ｃの先端部分を光学部品用筐体４６の位置決め用基準凹部４６２６に嵌合する。この状態では、光源装置４１は、一対の溝部４６２３および一対の突条部４１４１Ｇのがた分だけ、位置決め用基準突起部４１４３Ｃ（Ｙ軸）を中心として回動可能な状態となる。
【００５２】
次に、使用者は、一対の溝部４６２３および一対の突条部４１４１Ｇのがた分だけ、位置決め用基準突起部４１４３Ｃ（Ｙ軸）を中心として回動させながら、光源装置４１の振れ防止用突起部４１４１Ｈおよび倒れ防止用突起部４１４１Ｍが光学部品用筐体４６の振れ防止用凹部４６２４および倒れ防止用孔４６２８に嵌合可能とする位置に位置付ける。
次に、使用者は、光学部品用筐体４６に対して、光源装置４１を−Ｙ軸方向にさらに移動させて、光学部品用筐体４６の位置決め用基準凹部４６２６、振れ防止用凹部４６２４、および倒れ防止用孔４６２８に、光源装置４１の位置決め用基準突起部４１４３Ｃ、振れ防止用突起部４１４１Ｈ、および倒れ防止用突起部４１４１Ｍを嵌合させ、光学部品用筐体４６の一対の載置部４６２５の＋Ｙ軸方向端面に光源装置４１の一対の固定部４１４３の−Ｙ軸方向端面を当接させる。
【００５３】
この状態では、光源装置４１は、位置決め用基準突起部４１４３Ｃおよび位置決め用基準凹部４６２６により、光学部品用筐体４６に対するＸ軸上の位置およびＺ軸上の位置が規定された状態となる。また、光源装置４１は、一対の固定部４１４３および一対の載置部４６２５により、光学部品用筐体４６に対するＹ軸上の位置が規定された状態となる。さらに、光源装置４１は、振れ防止用突起部４１４１Ｈおよび振れ防止用凹部４６２４により、光学部品用筐体４６に対する位置決め用基準突起部４１４３Ｃ（Ｙ軸）を中心とした回動位置が規定された状態となる。さらにまた、光源装置４１は、倒れ防止用突起部４１４１Ｍおよび倒れ防止用孔４６２８により、光学部品用筐体４６に対するＺ軸を中心とした回動位置が規定された状態となる。すなわち、光源装置４１は、光学部品用筐体４６に対する所定位置に位置決めされ、該光源装置４１から射出される光束の中心軸と光学部品用筐体４６内に設定された照明光軸Ａとが一致した状態となる。
【００５４】
次に、使用者は、一対の固定部４１４３に形成された図示しない固定用孔を介して固定ねじ４１４４を載置部４６２５に形成された一対の固定用孔４６２７に螺合することで、光源装置４１が光学部品用筐体４６に支持固定される。
【００５５】
上述した本実施形態によれば、以下の効果がある。
本実施形態では、光源装置４１を構成するランプハウジング４１４は、光学部品用筐体４６に接続可能とする構造（一対の突条部４１４１Ｇ、振れ防止用突起部４１４１Ｈ、一対の固定部４１４３、位置決め用基準突起部４１４３Ｃ、倒れ防止用突起部４１４１Ｍ等）が光射出前方側に設けられている。このことにより、光学部品用筐体４６においては、光源装置４１から射出される光束を内部に導入する端部に前記構造に対応した光源装置支持部４６２を設ければよく、従来のように光源装置の光射出後方側にまで延出した収納部を設ける必要がない。したがって、光源装置４１から射出された光束のうち、照明光軸Ａを外れた光束（紫外線を含む光束）が光学部品用筐体４６に照射されることを抑制し、光学部品用筐体４６を種々の材料にて構成でき、光学部品用筐体４６の設計の自由度を向上できる。また、従来の構成と比較して、光学部品用筐体４６に収納部を設ける必要がないため、光学部品用筐体４６の小型化が図れる。
【００５６】
また、光源装置４１の一対の突条部４１４１Ｇを光学部品用筐体４６の一対の溝部４６２３に挿入することで、一対の突条部４１４１Ｇおよび一対の溝部４６２３により、光学部品用筐体４６に対する所定の設置位置までの光源装置４１の移動が案内されるので、光学部品用筐体４６に対する光源装置４１の設置を容易とする構造を実現できる。
【００５７】
さらに、突条部４１４１Ｇ１に振れ防止用突起部４１４１Ｈが一体的に形成されている。このことにより、振れ防止用突起部４１４１Ｈの形成位置と導入ダクト４１４１Ｋの形成位置とがランプハウジング４１４における同一の外側面側（＋Ｚ軸方向側）に位置するように構成した場合であっても、ランプハウジング４１４の製造時（成形時）において、振れ防止用突起部４１４１Ｈを形成する金型と、導入ダクト４１４１Ｋ（導入口４１４１Ｋ１）を形成する金型との金型上の制約がなく、導入ダクト４１４１Ｋを大きくすることなく、導入ダクト４１４１Ｋの導入口４１４１Ｋ１を十分に大きく形成できる。このため、光源装置４１自体の小型化を図りつつ、光源ランプ４１１を効果的に冷却できる。
【００５８】
また、突条部４１４１Ｇ１に振れ防止用突起部４１４１Ｈが一体的に形成されているので、例えば、突条部に振れ防止用突起部を一体的に形成せずに突条部に対して振れ防止用突起部が離間した状態で固定部４１４３Ａに形成されている構成と比較して、振れ防止用突起部４１４１Ｈの強度を向上できる。また、固定部４１４３Ａの−Ｙ軸方向端面と、光学部品用筐体４６の載置部４６２５の＋Ｙ軸方向端面との当接面積を大きくすることができ、光学部品用筐体４６に対する光源装置４１の固定状態を安定化することができる。
【００５９】
また、ランプハウジング４１４は、振れ防止用突起部４１４１Ｈが形成される一方の突条部４１４１Ｇ１とは異なる他方の突条部４１４１Ｇ２の＋Ｙ軸方向端部近傍に、位置決め用基準突起部４１４３Ｃを有する。そして、位置決め用基準突起部４１４３Ｃは、光源装置４１が設置位置に移動した際に、光学部品用筐体４６の位置決め用基準凹部４６２６に嵌合し、光学部品用筐体４６に対する光源装置４１のＸ軸上の位置およびＺ軸上の位置を規定する。このことにより、一対の突条部４１４１Ｇおよび一対の溝部４６２３により光学部品用筐体４６に対する光源装置４１の設置を容易とするとともに、光源装置４１を設置位置に移動させ、位置決め用基準凹部４６２６に位置決め用基準突起部４１４３Ｃを嵌合するだけで、光源装置４１の交換に不慣れな使用者でも光学部品用筐体４６に対する光源装置４１のＸ軸上の位置およびＺ軸上の位置を容易に位置決めできる。
【００６０】
また、位置決め用基準突起部４１４３Ｃは、位置決め用基準凹部４６２６内を摺動し、光学部品用筐体４６に対してＹ軸を中心として光源装置４１を回動可能とする。そして、振れ防止用突起部４１４１Ｈは、振れ防止用凹部４６２４に嵌合することで、光学部品用筐体４６に対する光源装置４１のＹ軸を中心とした回動位置を規定する。このことにより、光源装置４１を設置位置に移動させ、位置決め用基準凹部４６２６に位置決め用基準突起部４１４３Ｃを嵌合させただけでは、Ｙ軸を中心とした回動方向の光源装置４１の振れによる位置ずれが生じやすいところ、振れ防止用凹部４６２４に振れ防止用突起部４１４１Ｈを嵌合させることで、光源装置４１の振れを防止でき、光学部品用筐体４６に対する光源装置４１の位置決めをさらに良好なものとすることができる。
【００６１】
さらに、ランプハウジング４１４は、振れ防止用突起部４１４１Ｈや位置決め用基準突起部４１４３Ｃが形成される＋Ｙ軸方向側とは逆側である−Ｙ軸方向側に、倒れ防止用突起部４１４１Ｍを有する。そして、倒れ防止用突起部４１４１Ｍは、光源装置４１が設置位置に移動した際に、光学部品用筐体４６の倒れ防止用孔４６２８に嵌合し、光学部品用筐体４６に対する光源装置４１のＺ軸を中心とした回動位置を規定する。このことにより、光源装置４１を設置位置に移動させ、振れ防止用凹部４６２４や位置決め用基準凹部４６２６に振れ防止用突起部４１４１Ｈや位置決め用基準突起部４１４３Ｃを嵌合させただけでは、Ｚ軸を中心とした回動方向の光源装置４１の倒れによる位置ずれが生じやすいところ、倒れ防止用孔４６２８に倒れ防止用突起部４１４１Ｍを嵌合させることで、光源装置４１の倒れを防止でき、光学部品用筐体４６に対する光源装置４１の位置決めをさらに一層良好なものとすることができる。
【００６２】
なお、本発明は前述の実施形態に限定されるものではなく、本発明の目的を達成できる範囲での変形、改良等は本発明に含まれるものである。
前記実施形態では、本発明に係る第２の軸をＹ軸としていたが、これに限らず、第２の軸をＺ軸とし、第３の軸をＹ軸としても構わない。
前記実施形態では、振れ防止用突起部４１４１Ｈは、一対の突条部４１４１Ｇのうち一方の突条部４１４１Ｇ１にのみ一体的に形成されていたが、他方の突条部４１４１Ｇ２にも一体的に形成した構成としても構わない。振れ防止用凹部４６２４も同様である。
【００６３】
前記実施形態では、プロジェクタ１は、液晶パネル４５１を３つ備える三板式のプロジェクタで構成していたが、これに限らず、液晶パネルを１つ備える単板式のプロジェクタで構成しても構わない。また、液晶パネルを２つ備えるプロジェクタや、液晶パネルを４つ以上備えるプロジェクタとして構成しても構わない。
前記実施形態では、光入射面と光射出面とが異なる透過型の液晶パネルを用いていたが、光入射面と光射出面とが同一となる反射型の液晶パネルを用いてもよい。
前記実施形態では、光変調装置として液晶パネルを用いていたが、マイクロミラーを用いたデバイスなど、液晶以外の光変調装置を用いてもよい。この場合は、光束入射側および光束射出側の偏光板４５２，４５３は省略できる。
前記実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【００６４】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００６５】
本発明の光源装置は、光学部品用筐体の設計の自由度を向上できるため、プレゼンテーションやホームシアタに用いられるプロジェクタの光源装置として利用できる。
【図面の簡単な説明】
【００６６】
【図１】本実施形態におけるプロジェクタの概略構成を模式的に示す図。
【図２】前記実施形態における光学ユニットの構成を示す図。
【図３】前記実施形態における光学ユニットの構成を示す図。
【図４】前記実施形態における光源装置の構成を示す図。
【図５】前記実施形態における光源装置の構成を示す図。
【図６】前記実施形態における光学部品用筐体の光源装置支持部の構造を示す図。
【図７】前記実施形態における光学部品用筐体の光源装置支持部の構造を示す図。
【符号の説明】
【００６７】
１・・・プロジェクタ、４１・・・光源装置、４１Ａ・・・光源装置本体、４６・・・光学部品用筐体、４１１・・・光源ランプ、４１２・・・リフレクタ、４１４・・・ランプハウジング、４６２・・・光源装置支持部、４１４１・・・ハウジング本体（筒形状部）、４１４１Ｇ・・・突条部、４１４１Ｈ・・・振れ防止用突起部（第１の突起部）、４１４１Ｍ・・・倒れ防止用突起部（第３の突起部）、４１４３Ｃ・・・位置決め用基準突起部（第２の突起部）、４６２３・・・一対の溝部、４６２４・・・振れ防止用凹部（第１の凹部）、４６２６・・・位置決め用基準凹部（第２の凹部）、４６２８・・・倒れ防止用孔（第３の凹部）。
【図１】
2008176199.tif 000003
【図２】
2008176199.tif 000004
【図３】
2008176199.tif 000005
【図４】
2008176199.tif 000006
【図５】
2008176199.tif 000007
【図６】
2008176199.tif 000008
【図７】
2008176199.tif 000009